(57)【要約】【課題】ドアガイドシューと敷居溝の底部との間に異物が挟まってドアがロックすることを抑制できるエレベータの敷居溝清掃装置を得る。【解決手段】かご出入り口２２の下部に設けられて間口方向に延在し、底部に開口する排出穴２５ｂを有する敷居溝２５ａが形成された敷居２５、かご出入り口２２を開閉するかごドア２３Ａ，２３Ｂ、及びかごドア２３Ａ，２３Ｂの下端から突出するようにかごドア２３Ａ，２３Ｂに取り付けられて敷居溝２５ａに摺動可能に嵌合されるドアガイドシュー２７Ａを有するエレベータの敷居溝清掃装置１において、ドアガイドシュー２７Ａの下部を含み、かごドア２３Ａ，２３Ｂの開閉方向の一端下部から他端下部に至る敷居溝２５ａ内に配置され、かごドア２３Ａ，２３Ｂの開閉移動に連動して敷居溝２５ａの底部上を摺動する第１及び第２ブラシ３ａ，３ｂを備えている。【選択図】図５
2011213444.tif 000002
【特許請求の範囲】
【請求項１】
出入り口の下部に設けられて間口方向に延在し、底部に開口する排出穴を有する敷居溝が形成された敷居、上記出入り口を開閉するドア、及び上記の下端から突出するように上記ドアに取り付けられて上記敷居溝に摺動可能に嵌合されるドアガイドシューを有するエレベータの敷居溝清掃装置であって、
上記ドアガイドシューの下部を含み、上記ドアの開閉方向の一端下部から他端下部に至る上記敷居溝内に配置され、上記ドアの開閉移動に連動して上記敷居溝の底部上を摺動するブラシを備えることを特徴とするエレベータの敷居溝清掃装置。
【請求項２】
上記ブラシは、上記ドアガイドシューの下部、及び上記ドアガイドシューの取り付け部位を除く上記ドアの下端部の開閉方向全域に取り付けられて、上記敷居溝の底部まで延在していることを特徴とする請求項１記載のエレベータの敷居溝清掃装置。
【請求項３】
一端が上記ドアの閉方向の端部下部に固定されて、上記ドアガイドシューと上記敷居溝の底部との間を通過するようにして上記敷居溝内を上記ドアの開方向に延在し、他端側が上記敷居溝から延出されるワイヤと、
上記ドアの閉方向の移動力より小さな力で上記ワイヤを付勢して緊張状態に保つワイヤ緊張手段と、
を備え、
上記ブラシが、上記ドアの下部に位置する上記ワイヤの部位に取り付けられていることを特徴とする請求項１に記載のエレベータの敷居溝清掃装置。
【請求項４】
上記ブラシは、上記ドアの開方向の端部下部の部位から上記ワイヤの他端側に延長されるように上記ワイヤに取り付けられていることを特徴とする請求項３にエレベータの敷居溝清掃装置。
【請求項５】
上記ワイヤ緊張手段は、
上記ワイヤの他端側が巻きつけられる回転体と、
上記ワイヤの他端側を巻き取る方向に上記回転体を回転させる付勢手段と、
を備えることを特徴とする請求項３または請求項４に記載のエレベータの敷居溝清掃装置。
【発明の詳細な説明】
【技術分野】
【０００１】
この発明は、エレベータの敷居溝を清掃するためのエレベータの敷居溝清掃装置に関する。
【背景技術】
【０００２】
従来のエレベータ乗降口の敷居清掃装置は、底部に開口する穴が形成された敷居溝を有する敷居と、扉の下端から突出するように扉に固定されて敷居溝に摺動可能に嵌合されるガイドシューと、ガイドシューの配設部位を除いて扉の下端から敷居溝内に突出するように設けられ、扉の開閉に応じて、敷居溝の異物、及び塵埃を穴に掃き落とすブラシと、を備えている（例えば、特許文献１参照）。
【先行技術文献】
【特許文献】
【０００３】
【特許文献１】実開平１−６５２８３号公報
【発明の概要】
【発明が解決しようとする課題】
【０００４】
従来のエレベータ乗降口の敷居清掃装置において、ガイドシューの下部には、ブラシがないので、異物がガイドシューの下部に潜りやすく、ガイドシューと敷居溝の底部との間に異物が挟まってドアがロックしてしまうことがある。
【０００５】
この発明は上記の課題を解決するためになされたものであり、ドアガイドシューと敷居溝の底部との間に異物が挟まってドアがロックすることを抑制できるエレベータの敷居溝清掃装置を得ることを目的とする。
【課題を解決するための手段】
【０００６】
この発明は、出入り口の下部に設けられて間口方向に延在し、底部に開口する排出穴を有する敷居溝が形成された敷居、出入り口を開閉するドア、及びドアの下端から突出するようにドアに取り付けられて敷居溝に摺動可能に嵌合されるドアガイドシューを有するエレベータの敷居溝清掃装置において、ドアガイドシューの下部を含み、ドアの開閉方向の一端下部から他端下部に至る敷居溝内に配置され、ドアの開閉移動に連動して敷居溝の底部上を摺動するブラシを備えている。
【発明の効果】
【０００７】
この発明に係るエレベータの敷居溝清掃装置によれば、ブラシが、ドアガイドシューの下部に位置する敷居溝内に配置されているので、異物が、ドアガイドシューの下部に潜りにくくなっている。これにより、異物がドアガイドシューと敷居溝の底部との間に挟まってドアがロックされることを抑制できる。
【図面の簡単な説明】
【０００８】
【図１】この発明の実施の形態１に係るエレベータを乗場側から見た正面図である。
【図２】図１のＩＩ−ＩＩ矢視断面図である。
【図３】図２のＡ部拡大図である。
【図４】図３のＢ部拡大図である。
【図５】図２のＶ−Ｖ矢視正面図である。
【図６】図４のＶＩ−ＶＩ矢視断面図である。
【図７】図４のＶＩＩ−ＶＩＩ矢視断面図である。
【図８】この発明の実施の形態２に係るエレベータのかご及び乗場の断面図である。
【図９】図８のＣ部拡大図である。
【図１０】図８のＸ−Ｘ矢視正面図である。
【図１１】図１０のＤ部拡大図である。
【図１２】図１１のＸＩＩ−ＸＩＩ矢視断面図である。
【図１３】図１１のＸＩＩＩ−ＸＩＩＩ矢視断面図である。
【図１４】図１０のＸＩＶ−ＸＩＶ矢視断面図である。
【図１５】図１４のＸＶ−ＸＶ矢視断面図である。
【図１６】図８のＸＶＩ−ＸＶＩ矢視正面図である。
【図１７】この発明の実施の形態２に係るエレベータの敷居溝清掃装置の動作を説明するかごの正面図である。
【発明を実施するための形態】
【０００９】
以下、この発明を実施するための最良の形態について、図面を参照して説明する。
【００１０】
実施の形態１．
図１はこの発明の実施の形態１に係るエレベータを乗場側から見た正面図、図２は図１のＩＩ−ＩＩ矢視断面図、図３は図２のＡ部拡大図、図４は図３のＢ部拡大図、図５は図２のＶ−Ｖ矢視正面図、図６は図４のＶＩ−ＶＩ矢視断面図、図７は図４のＶＩＩ−ＶＩＩ矢視断面図である。
【００１１】
図１及び図２において、エレベータは、昇降路２６を昇降するかご２０、及び乗場３０を有する。
【００１２】
かご２０は、図２〜図７に示されるように、昇降路２６に昇降自在に設けられ、かご出入り口２２を有するかご室２１と、かご出入り口２２を開閉する横引き式の二枚両引きドアで構成される一対のかごドア２３Ａ，２３Ｂと、かご出入り口２２の下部にかご室２１に一体に設けられ、上面に開口し、間口方向に延びる敷居溝２５ａが凹設されたかご敷居２５と、一対のかごドア２３Ａ，２３Ｂの下端から突出するようにかごドア２３Ａ，２３Ｂのそれぞれに２つずつ固定され、敷居溝２５ａに摺動可能に嵌合されるドアガイドシュー２７Ａと、を有している。
【００１３】
かご室２１は、図２に示されるように、かご床２１Ａと、かご出入り口２２の両側でかご床２１Ａに立設される袖壁２１Ｂと、かご出入り口２２の一側の袖壁２１Ｂから他側の袖壁２１Ｂに至るように、かご床２１Ａの外縁に沿った方向に立設されるかご側壁２１Ｃと、図示しない天井と、を有している。
【００１４】
かごドア２３Ａは、図３及び図４に示されるように、かご室２１内に露出される意匠面を表（おもて）面に有し、所定の幅及び高さを有する矩形平板状のドア本体２３ａ、ドア本体２３ａの裏面の幅方向の両縁部から、高さ方向の全域に亘って互いに相対するようにドア本体２３ａの裏面に垂直に延出される一対のドア側壁部２３ｂ、及びドア側壁部２３ｂの先端から互いの先端が相対するようにドア側壁部２３ｂに垂直に延出される一対の返し部２３ｃを備えている。また、かごドア２３Ｂも同様に構成されている。
【００１５】
ドアガイドシュー２７Ａは、所定の幅及び高さで、所定の長さの直方体に作製されている。そして、ドアガイドシュー２７Ａは、取付金具２９を介して、かごドア２３Ａ，２３Ｂのそれぞれのドア本体２３ａの裏面下部に、ドア本体２３ａの下端から突出されるように固定されて敷居溝２５ａに摺動可能に嵌合されている。このとき、一対のドアガイドシュー２７Ａは、長さ方向をドア本体２３ａの幅方向に一致させ、ドア本体２３ａの幅方向に互いに離間するようにドア本体２３ａの幅方向の両端から所定距離離間した部位に取り付けられている。
【００１６】
かご敷居２５には、図３及び図５に示されるように、敷居溝２５ａの底部に開口する長穴形状の複数の排出穴２５ｂが、長軸方向をかご敷居２５の長さ方向に一致させて、かご敷居２５の長さ方向に互いに離間するように形成されている。複数の排出穴２５ｂのうちの２つの排出穴２５ｂは、全閉時のかごドア２３Ａ，２３Ｂの戸当たり端下部を含む敷居溝２５ａ部位、及び敷居溝２５ａの両端近傍の部位に形成されている。
【００１７】
また、乗場３０は、図１〜図３に示されるように、横引き式の二枚両引きドアで構成され、一対のかごドア２３Ａ，２３Ｂの開閉移動に連動して移動して乗場出入り口３２を開閉する一対の乗場ドア３３Ａ，３３Ｂと、乗場出入り口３２の下部に設けられ、上面に開口し、間口方向に延びる敷居溝３５ａが凹設された乗場敷居３５と、乗場ドア３３Ａ，３３Ｂの下端から突出するように乗場ドア３３Ａ，３３Ｂのそれぞれに２つずつ固定され、敷居溝３５ａに摺動可能に嵌合されるドアガイドシュー３７Ａと、を備える。
【００１８】
乗場ドア３３Ａ，３３Ｂは、かごドア２３Ａ,２３Ｂと同様に構成されている。但し、乗場ドア３３Ａ，３３Ｂのドア本体２３ａの意匠面は、乗場３０に向けて配置されている。
ドアガイドシュー３７Ａは、ドアガイドシュー２７Ａと同様に作製され、ドアガイドシュー２７Ａと同様に、乗場ドア３３Ａ，３３Ｂのドア本体２３ａの裏面下部に取付金具２９を介して取り付けられている。
また、乗場敷居３５には、排出穴３５ｂが、排出穴２５ｂと同様に形成されている。
【００１９】
以上のように構成されたエレベータにおいて、エレベータの敷居溝清掃装置１が、かごドア２３Ａとかごドア２３Ａに取り付けられたドアガイドシュー２７Ａ、かごドア２３Ｂとかごドア２３Ｂに取り付けられたドアガイドシュー２７Ａ、乗場ドア３３Ａと乗場ドア３３Ａに取り付けられたドアガイドシュー３７Ａ、及び乗場ドア３３Ｂと乗場ドア３３Ｂに取り付けられたドアガイドシュー３７Ａのそれぞれに対して設けられている。
【００２０】
エレベータの敷居溝清掃装置１は、図４及び図５に示されるように、ドアガイドシュー２７Ａに取り付けられる第１ブラシ３ａと、ブラシ装着体４Ａ〜４Ｃと、を有する。
【００２１】
ブラシ装着体４Ａ〜４Ｃは、ブラシ固定金具２Ａ〜２Ｃ、及びブラシ固定金具２Ａ〜２Ｃに取り付けられる第２ブラシ３ｂにより構成される。
【００２２】
ブラシ固定金具２Ａ〜２Ｃのそれぞれは、長さ方向に直交する断面がＬ字状に形成されている。そして、ブラシ固定金具２Ａの長さは、ドア本体２３ａの幅方向の一端と一方のドアガイドシュー２７Ａとの間の長さより僅かに短い長さに対応している。また、ブラシ固定金具２Ｂの長さは、ドア本体２３ａに設けられた一対のドアガイドシュー２７Ａの間の長さより僅かに短い長さに対応している。また、ブラシ固定金具２Ｃの長さは、ドア本体２３ａの他端と他方のドアガイドシュー２７Ａとの間の長さより僅かに短い長さに対応している。
【００２３】
また、ブラシ固定金具２Ａ〜２Ｃの一片の他片からの延出長さは、敷居溝２５ａの溝幅より若干短く設定されている。そして、図７に示されるように、第２ブラシ３ｂが、ブラシ固定金具２Ｂの一片の一面の全域から他片と逆側に突出するように設けられている。詳細には図示しないが、同様に第２ブラシ３ｂが、ブラシ固定金具２Ａ，２Ｃの一片の一面の全域から他片と逆側に突出するように設けられている。
【００２４】
次いで、敷居溝清掃装置１のかごドア２３Ａ及びドアガイドシュー２７Ａへの取付構造について説明する。
第１ブラシ３ａは、ドアガイドシュー２７Ａのそれぞれの下面全域から突出するようにドアガイドシュー２７Ａに取り付けられて、その先端が敷居溝２５ａの底部に押し当てられている。
【００２５】
ブラシ装着体４Ｂは、長さ方向をドア本体２３ａの幅方向に一致させ、図７に示されるように、第２ブラシ３ｂの先端が敷居溝２５ａの底部に押しあてられるように、一対のドアガイドシュー２７Ａの間に位置するドア本体２３ａの裏面下部に、ブラシ固定金具２Ｂの他片を押しあてて配置されている。そして、ブラシ固定金具２Ｂの他片は、ボルトによりドア本体２３ａに締着固定されている。
【００２６】
同様に、ブラシ装着体４Ａが、ドア本体２３ａの幅方向の一端と一方のドアガイドシュー２７Ａとの間のドア本体２３ａの裏面下部に固定され、ブラシ装着体４Ｃが、ドア本体２３ａの幅方向の他端と他方のドアガイドシュー２７Ａとの間のドア本体２３ａの裏面下部に固定されている。
【００２７】
以上のように、第１ブラシ３ａと第２ブラシ３ａ，３ｂからなるブラシ群が、ドアガイドシュー２７Ａの下部を含み、かごドア２３Ａの開閉方向の一端下部から他端下部に至る敷居溝２５ａ内に配置されている。より詳しくは、第１ブラシ３ａ及び第２ブラシ３ｂからなるブラシ群が、ドアガイドシュー２７Ａ及びドアガイドシュー２７Ａの取り付け部位を除くかごドア２３Ａの下端部の開閉方向全域に取り付けられて敷居溝２５ａ内に配置されている。
【００２８】
同様にして、敷居溝清掃装置１は、かごドア２３Ｂとかごドア２３Ｂに取り付けられたドアガイドシュー２７Ａ、乗場ドア３３Ａと乗場ドア３３Ａに取り付けられたドアガイドシュー３７Ａ、及び乗場ドア３３Ｂと乗場ドア３３Ｂに取付られたドアガイドシュー３７Ａに対して設けられている。
【００２９】
次いで、敷居溝清掃装置１による敷居溝２５ａ，３５ａの清掃動作について説明する。
かごドア２３Ａ，２３Ｂ及び乗場ドア３３Ａ，３３Ｂが開閉移動に連動して、第１ブラシ３ａ及び第２ブラシ３ｂが敷居溝２５ａ，３５ａの底部上を摺動する。
これにより、敷居溝２５ａ，３５ａの小石や塵埃などの異物は、第１ブラシ３ａ及び第２ブラシ３ｂに掃かれて排出穴２５ｂ，３５ｂまで移動されて、排出穴２５ｂ，３５ｂからかご敷居２５及び乗場敷居３５の外部に排出される。
【００３０】
この実施の形態１の敷居溝清掃装置１によれば、第１ブラシ３ａ及び第２ブラシ３ｂからなるブラシ群が、ドアガイドシュー２７Ａ，３７Ａ、及びドアガイドシュー２７Ａ，３７Ａの取り付け部位を除くかごドア２３Ａ，２３Ｂ及び乗場ドア３３Ａ，３３Ｂの下端部の開閉方向全域に取り付けられて敷居溝２５ａ，３５ａ内に配置されている。
【００３１】
第１ブラシ３ａが、ドアガイドシュー２７Ａ，３７Ａの下部に位置する敷居溝２５ａ，３５ａ内に配置されているので、異物は、ドアガイドシュー２７Ａ，３７Ａの下部に潜りにくくなっている。これにより、異物が、ドアガイドシュー２７Ａ，３７Ａと敷居溝２５ａ，３５ａの底部との間に挟まってかごドア２３Ａ，２３Ｂや乗場ドア３３Ａ，３３Ｂがロックされることを抑制できる。
【００３２】
実施の形態２． 
図８はこの発明の実施の形態２に係るエレベータのかご及び乗場の断面図、図９は図８のＣ部拡大図、図１０は図８のＸ−Ｘ矢視正面図、図１１は図１０のＤ部拡大図、図１２は図１１のＸＩＩ−ＸＩＩ矢視断面図、図１３は図１１のＸＩＩＩ−ＸＩＩＩ矢視断面図、図１４は図１０のＸＩＶ−ＸＩＶ矢視断面図、図１５は図１４のＸＶ−ＸＶ矢視断面図、図１６は図８のＸＶＩ−ＸＶＩ矢視正面図である。
なお、上記実施の形態と同一または相当部分には同一符号を付し、その説明は省略する。
【００３３】
図８〜図１６において、エレベータは、ドアガイドシュー２７Ａ，３７Ａに代え、ドアガイドシュー２７Ｂ，３７Ｂを備えている。また、一対の敷居溝清掃装置１０Ａが、かご２０側に設けられた一対の敷居溝清掃装置１に代えて設けられ、一対の敷居溝清掃装置１０Ｂが、乗場３０側に配設された一対の敷居溝清掃装置１に代えて設けられている。他の構成は、上記実施の形態１と同様である。
【００３４】
ドアガイドシュー２７Ｂは、図１２に示されるように、敷居溝２５ａの底部に向けて開口するブラシ挿通凹部２７ａが、長手方向の全域に亘って所定の深さに形成されている他は、ドアガイドシュー２７Ａと同様に構成されている。なお、図示しないが、ドアガイドシュー３７Ｂもドアガイドシュー２７Ｂと同様に構成されている。
【００３５】
敷居溝清掃装置１０Ａは、ワイヤ１１、滑車１２、ワイヤ１１の一端から所定の長さだけ延在するようにワイヤ１１に取り付けられる第３ブラシ１３、及びワイヤ１１の他端側が巻回されて、常時ワイヤ１１を巻き取る方向にワイヤ１１を付勢するワイヤ緊張手段としてのワイヤ巻取り手段１５と、ワイヤ巻取り手段１５をかご側壁２１Ｃに支持するＬ字状の取付部材１４Ａと、を備えている。
第３ブラシ１３は、ワイヤ１１の周方向の全域から径方向に突出されている。
【００３６】
また、ワイヤ巻取り手段１５は、図１４及び図１５に示されるように、中空の直方体に作製されたケース１６と、ケース１６に軸周りに回転自在に支持され、ワイヤ１１が巻きつけられる回転体１７と、回転体１７を回転させる復元力を発揮するように回転体１７に連結された付勢手段としてのゼンマイばね１８と、を備えている。
【００３７】
そして、ケース１６の底部には、第１ワイヤ挿通穴１６ａが形成されている。
また、回転体１７は、ワイヤ１１が巻きかけられる巻取りドラム１７Ａと、巻取りドラム１７Ａの外径より大きな直径を有する円板状をなし、巻取りドラム１７Ａの両開口を塞口するように巻取りドラム１７Ａの軸方向の両端に取り付けられた一対のフランジ体１７Ｂ，１７Ｃと、巻取りドラム１７Ａと同軸に配置されるように一対のフランジ体１７Ｂ，１７Ｃに突設された支持軸１７Ｄ，１７Ｅと、を備えている。
【００３８】
支持軸１７Ｄ，１７Ｅは、軸周りに回転自在にケース１６に軸受け１９を介して支持されている。
ゼンマイばね１８は、ワイヤ１１を巻取りドラム１７Ａに巻き取る方向に巻取りドラム１７Ａを回転させる復元力（付勢力）を発揮するように、一方の支持軸１７Ｄに一端を固定されて、支持軸１７Ｄまわりに渦巻き状に配置されている。
【００３９】
取付部材１４ＡはＬ字状に作製され、その一片には第２ワイヤ挿通穴１４ａが、厚み方向に穿設されている。
【００４０】
また、敷居溝清掃装置１０Ｂは、取付部材１４Ａに代え、ワイヤ巻取り手段１５を乗場壁３１に支持する取付部材１４Ｂを有する他は、敷居溝清装置１０Ａと同様に構成されている。
取付部材１４Ｂは、図８及び図１６に示されるように、Ｌ字状に作製され、その一片には図示しない第２ワイヤ挿通穴が、厚み方向に穿設されている。
【００４１】
次いで、一方の敷居溝清掃装置１０Ａのかご２０への取付構造について説明する。
一方の敷居溝清掃装置１０Ａの滑車１２は、奥行き方向に回転軸１２ａを一致させ、間口方向に相対する一対のかご側壁２１Ｃのうちの一方のかご側壁２１Ｃ（以下、間口方向の一方のかご側壁２１Ｃとする）に、回転軸１２ａまわりに回転自在に支持されている。このとき、滑車１２は、かごドア２３Ａの開方向に位置するかご敷居２５の端部近傍に配置され、滑車１２の外周面の下端部は、高さ方向に関して敷居溝２５ａの底部よりやや上方に位置している。
【００４２】
また、取付部材１４Ａが、滑車１２の上方に一片が水平に配置されるように、間口方向の一方のかご側壁２１Ｃの外面に他片を固定されている。
そして、ケース１６が、第１ワイヤ挿通穴１６ａを第２ワイヤ挿通穴１４ａに対応させて、取付部材１４Ａの一片上に固定されている。このとき、ワイヤ巻取り手段１５は、巻取りドラム１７Ａ及び支持軸１７Ｄ，１７Ｅの軸方向が、奥行き方向に一致するように向けられている。
【００４３】
また、ワイヤ１１は、一端をかごドア２３Ａの閉方向の端部下部に固定され、敷居溝２５ａ内をかごドア２３Ａの開方向に延在し、敷居溝２５ａの端部から延出されている。このとき、ワイヤ１１は、ドアガイドシュー２７Ｂのブラシ挿通凹部２７ａに通されている。また、第３ブラシ１３は、敷居溝２５ａの底部を押圧するように配置される。
【００４４】
そして、かご敷居２５から延出されたワイヤ１１は、滑車１２に掛けられ、ワイヤ１１の他端側が、第２ワイヤ挿通穴１４ａ及び第１ワイヤ挿通穴１６ａを介してケース１６内に引き込まれて、巻取りドラム１７Ａに巻かれている。
【００４５】
前述したように、ゼンマイばね１８は、ワイヤ１１を巻取りドラム１７Ａに巻き取る方向に巻取りドラム１７Ａを回転させる復元力を発揮する。これにより、ワイヤ１１は、常に緊張状態に保たれる。ワイヤ１１を付勢するゼンマイばね１８の復元力は、かごドア２３Ａ,２３Ｂ及び乗場ドア３３Ａ,３３Ｂの閉方向への移動力より十分に小さく、ワイヤ１１が、かごドア２３Ａ，２３Ｂ及び乗場ドア３３Ａ，３３Ｂの開閉移動に影響を及ぼすことはない。
【００４６】
そして、第３ブラシ１３は、ワイヤ１１の一端から他端側に向かって略かご敷居２５の半分の長さだけ延在するようにワイヤ１１取り付けられて、ワイヤ１１の周方向全域から径方向に突出されている。すなわち、第３ブラシ１３は、かごドア２３Ａの下方に位置するワイヤ１１の部位に取り付けられるだけでなく、かごドア２３Ａの開方向の端部下部のワイヤ１１部位からワイヤ１１の他端側に所定量延長されるようにワイヤ１１に取り付けられる。
【００４７】
また、他方の敷居溝清掃装置１０Ａは、かごドア２３Ｂ及び間口方向の他方のかご側壁２１Ｃに、一方の敷居溝清掃装置１０Ａと同様に取り付けられている。
【００４８】
次いで、一方の敷居溝清掃装置１０Ｂの乗場３０への取付構造について説明する。
図１６において、一方の敷居溝清掃装置１０Ｂの滑車１２は、奥行き方向に回転軸１２ａを一致させ、乗場壁３１に回転軸１２ａまわりに回転自在に支持されている。このとき、滑車１２は、乗場ドア３３Ａの開方向に位置する敷居溝３５ａの端部近傍に配置され、
滑車１２の外周面の下端部は、高さ方向に関して、敷居溝３５ａの底部よりやや上方に位置している。
【００４９】
また、取付部材１４Ｂが、滑車１２の上方に、一片が水平に延在するように、乗場壁３１の裏側に他片を取り付けられている。
そして、ワイヤ巻取り手段１５のケース１６が、第１ワイヤ挿通穴１６ａを取付部材１４Ｂの一片に形成された第２ワイヤ挿通穴に対応させて、取付部材１４Ｂの一片上に固定されている。このとき、ワイヤ巻取り手段１５は、図示しない巻取りドラムの軸方向が、奥行き方向に一致するように向けられている。
【００５０】
また、ワイヤ１１は、一端を乗場ドア３３Ａの閉方向の端部下部に固定され、敷居溝３５ａ内を乗場ドア３３Ａの開方向に延在し、敷居溝３５ａの端部から延出されている。このとき、ワイヤ１１は、ドアガイドシュー３７Ｂの図示しないブラシ挿通凹部に通されている。
【００５１】
そして、乗場敷居３５から延出されたワイヤ１１は、滑車１２に掛けられ、ワイヤ１１の他端側が、第１ワイヤ挿通穴１６ａ及び第２ワイヤ挿通穴を介してケース１６内に引き込まれて、巻取りドラム１７Ａに巻かれている。
【００５２】
前述したように、敷居溝清掃装置１０Ｂの図示しないゼンマイばねは、敷居溝清掃装置１０Ａと同様、ワイヤ１１を常に緊張状態に保つ復元力を発揮する。これにより、ワイヤ１１は、常に緊張状態に保たれる。
【００５３】
また、第３ブラシ１３が、敷居溝清掃装置１０Ａの場合と同様に、ワイヤ１１に取り付けられている。
【００５４】
また、他方の敷居溝清掃装置１０Ｂは、乗場出入り口３２の間口方向の中心に対して一方の敷居溝清掃装置１０Ｂと乗場出入り口３２間口中心の両側に対称の位置関係となるように、乗場ドア３３Ｂ及び乗場壁３１に対して設けられている。
【００５５】
次いで、敷居溝清掃装置１０Ａ，１０Ｂによる敷居溝２５ａ，３５ａの清掃動作について説明する。
図１７はこの発明の実施の形態２に係るエレベータの敷居溝清掃装置の動作を説明するかごの正面図である。
【００５６】
初期状態として、図８に示されるように、かごドア２３Ａ，２３Ｂ及び乗場ドア３３Ａ，３３Ｂは、かご出入り口２２及び乗場出入り口３２を全閉しているものとする。このとき、敷居溝清掃装置１０Ａ，１０Ｂの第３ブラシ１３は、敷居溝２５ａ，３５ａの底部の全域を押し付けるように配置される。
【００５７】
かごドア２３Ａ，２３Ｂと乗場ドア３３Ａ,３３Ｂが開方向への移動時、ワイヤ１１は、かごドア２３Ａ，２３Ｂと乗場ドア３３Ａ，３３Ｂの開方向への移動量だけ、ゼンマイばね１８の付勢力によって巻取りドラム１７Ａに巻き取られるので、ワイヤ１１の緊張状態が保たれる。また、敷居溝２５ａ，３５ａ内に配置されているワイヤ１１は、ドアガイドシュー２７Ｂ，３７Ｂ、及び滑車１２により、敷居溝２５ａ，３５ａの開口から上方に移動することが規制される。
【００５８】
このため、敷居溝２５ａ，３５ａ内を移動するワイヤ１１の部位に取り付けられた第３ブラシ１３は、かごドア２３Ａ，２３Ｂと乗場ドア３３Ａ，３３Ｂの移動に連動して敷居溝２５ａ，３５ａの底部上を摺動する。このとき、敷居溝２５ａ，３５ａの端部の外側に移動する第３ブラシ１３は、図１７に示されるように、滑車１２を通過した後に鉛直方向に延在方向を変える。
【００５９】
かごドア２３Ａ，２３Ｂと乗場ドア３３Ａ,３３Ｂが開方向への移動に連動して、第３ブラシ１３が移動すると、敷居溝２５ａ，３５ａ内の異物は、第３ブラシ１３に掃かれて排出穴２５ｂ，３５ｂのいずれの場所まで移動し、排出穴２５ｂ，３５ｂからかご敷居２５，３５の外部に排出される。
【００６０】
また、かごドア２３Ａ，２３Ｂと乗場ドア３３Ａ，３３Ｂが、閉方向に移動すると、ゼンマイばね１８の復元力に抗して、ワイヤ１１は、かごドア２３Ａ，２３Ｂ及び乗場ドア３３Ａ，３３Ｂの移動力により巻取りドラム１７Ａから引っ張り出される。このときも、敷居溝２５ａ，３５ａ内に配置される第３ブラシ１３は、かごドア２３Ａ，２３Ｂと乗場ドア３３Ａ，３３Ｂの移動に連動して、敷居溝２５ａ，３５ａの底部上を摺動する。これにより、敷居溝２５ａ，３５ａ内の異物は、第３ブラシ１３に掃かれて排出穴２５ｂ，３５ｂのいずれの場所まで移動し、排出穴２５ｂ，３５ｂからかご敷居２５及び乗場敷居３５の外部に排出される。
【００６１】
この実施の形態２の敷居溝清掃装置１０Ａ，１０Ｂは、一端がかごドア２３Ａ，２３Ｂ及び乗場ドア３３Ａ，３３Ｂの閉方向の端部下部に固定されて、ドアガイドシュー２７Ｂ，３７Ｂと敷居溝２５ａ，３５ａの底部との間を通過するようにして敷居溝２５ａ，３５ａ内をかごドア２３Ａ，２３Ｂ及び乗場ドア３３Ａ，３３Ｂの開方向に延在し、他端側が敷居溝２５ａ，３５ａから延出されるワイヤ１１と、ワイヤ１１の一端からワイヤ１１に沿って、かご敷居２５及び乗場敷居３５の長さの略半分の長さだけ延在するようにワイヤ１１に取り付けられる第３ブラシ１３と、を備えている。さらに、敷居溝清掃装置１０Ａ，１０Ｂは、敷居溝２５ａ，３５ａ内のワイヤ１１に対してかごドア２３Ａ，２３Ｂ及び乗場ドア３３Ａ，３３Ｂの開方向の力が働くようにワイヤ１１を付勢して緊張状態に保つワイヤ巻取り手段１５を備える。具体的には、ワイヤ巻取り手段１５は、ワイヤ１１の他端側を巻き取り可能に構成された回転体１７、及びワイヤ１１の他端側を巻き取る方向に回転体１７を回転させてワイヤ１１を付勢するゼンマイばね１８を有する。
【００６２】
ワイヤ１１の緊張状態を保つワイヤ巻取り手段１５により、ワイヤ１１が緩んで、かごドア２３Ａ，２３Ｂ及び乗場ドア３３Ａ，３３Ｂに引っ掛かるこが未然に防止される。また、第３ブラシ１３は、ドアガイドシュー２７Ｂ，３７Ｂの下部を含む敷居溝２５ａ，３５ａ内に配置されているので、異物は、ドアガイドシュー２７Ｂ，３７Ｂの下部に潜りにくくなっている。これにより、異物が、ドアガイドシュー２７Ｂ，３７Ｂと敷居溝２５ａ，３５ａの底部との間に挟まってかごドア２３Ａ，２３Ｂや乗場ドア３３Ａ，３３Ｂがロックされることを抑制できる。
【００６３】
また、間口方向に関し、かごドア２３Ａ，２３Ｂ及び乗場ドア３３Ａ，３３Ｂの開方向の端部より、かごドア２３Ａ，２３Ｂ及び乗場ドア３３Ａ，３３Ｂの開方向に位置する敷居溝２５ａ，３５ａの部位は、かごドア２３Ａ，２３Ｂ及び乗場ドア３３Ａ，３３Ｂの開方向の端部下部の部位からワイヤ１１の他端側に延長される第３ブラシ１３に常に押し当てられる。このため、当該敷居溝２５ａ，３５ａの部位では、異物の掃き残しが抑制され、かご敷居２５及び乗場敷居３５の外部への異物の排出効果が一層得られる。
【００６４】
なお、この実施の形態２では、第３ブラシ１３は、ワイヤ１１の一端から他端側に向かってかご敷居２５及び乗場敷居３５の長さの半分の長さ範囲にあるワイヤ１１の部位に取り付けられるものとして説明したが、第３ブラシ１３は、かごドア２３Ａ，２３Ｂ及び乗場ドア３３Ａ，３３Ｂの開方向端部下部の部位より他端側に延在するワイヤ１１の部位に取り付けなくてもよい。この場合でも、かごドア２３Ａ，２３Ｂ及び乗場ドア３３Ａ，３３Ｂの開閉動作により、敷居溝２５ａ，３５ａの異物を排出穴２５ｂ，３５ｂからかご敷居２５及び乗場敷居３５の外部に排出できる。
【００６５】
また、第３ブラシ１３は、かごドア２３Ａ，２３Ｂ及び乗場ドア３３Ａ，３３Ｂの開方向端部下部の部位からある程度延長されていれば、かごドア２３ａ，２３Ｂ及び乗場ドア３３Ａ，３３Ｂが全閉されているときのかごドア２３Ａ，２３Ｂ及び乗場ドア３３Ａ，３３Ｂの開方向の端部下部より開方向に位置する敷居溝２５ａ，３５ａの部位では、第３ブラシ１３による異物のかご敷居２５及び乗場敷居３５の外部への排出効果が向上される。
【００６６】
また、ワイヤ緊張手段は、ワイヤ巻取り手段１５であるものとして説明したが、ワイヤ緊張手段は、例えば、ワイヤ１１の他端側を引っ張るように付勢するコイルばねなどを用いてもよい。
【００６７】
また、各実施の形態では、敷居溝清掃装置は、かごドア２３Ａ，２３Ｂ及び乗場ドア３３Ａ，３３Ｂの両方に取り付けるものとして説明したが、かごドア２３Ａ，２３Ｂ及び乗場ドア３３Ａ，３３Ｂのいずれかに対して取り付けられているものでもよい。
【符号の説明】
【００６８】
１  敷居溝清掃装置、１０Ａ，１０Ｂ  敷居溝清掃装置、１１  ワイヤ、１５  ワイヤ巻取り手段（ワイヤ緊張手段）、１７  回転体、１８  ゼンマイばね（付勢手段）、２２  かご出入り口（出入り口）、２３Ａ，２３Ｂ  かごドア（ドア）、２５  かご敷居（敷居）、２５ａ  敷居溝、２５ｂ  排出穴、２７Ａ，２７Ｂ  ドアガイドシュー、３２  乗場出入り口（出入り口）、３３Ａ，３３Ｂ  乗場ドア（ドア）、３５  乗場敷居、３５ａ  敷居溝、３５ｂ  排出穴、３７Ａ，３７Ｂ  ドアガイドシュー。
【図１】
2011213444.tif 000003
【図２】
2011213444.tif 000004
【図３】
2011213444.tif 000005
【図４】
2011213444.tif 000006
【図５】
2011213444.tif 000007
【図６】
2011213444.tif 000008
【図７】
2011213444.tif 000009
【図８】
2011213444.tif 000010
【図９】
2011213444.tif 000011
【図１０】
2011213444.tif 000012
【図１１】
2011213444.tif 000013
【図１２】
2011213444.tif 000014
【図１３】
2011213444.tif 000015
【図１４】
2011213444.tif 000016
【図１５】
2011213444.tif 000017
【図１６】
2011213444.tif 000018
【図１７】
2011213444.tif 000019